(57)【要約】【課題】インターネット上に展開する、登録主体者書き込みによる自動更新機能を有する学会・研究会・講演会用のカレンダーを提供する。【解決手段】サーバ装置１４は、学会等の研究集会の情報を登録する学会情報ＤＢ１５Ａとユーザ情報ＤＢ１５Ｂとを備える。端末装置１２は、学会情報ＤＢ１５Ａに格納されている情報に基づいて学会開催情報を掲載したカレンダーを作成する。掲載情報はより詳細な情報にリンクしている。サーバ装置１４は、端末装置１２からのインターネットを介したアクセスに応答して、このカレンダーを送信する。ユーザ情報ＤＢ１５Ｂに登録されている閲覧者は、カレンダーを参照して興味ある情報をクリックして、詳細な情報を得る。学会関係者は、サーバ装置１４をアクセスして、自ら、研究集会に関する情報と開催日時とを登録する。サーバ装置１２は、登録された情報を学会情報ＤＢ１５Ａに登録すると共にカレンダーを更新する。【選択図】図１
2007156654.tif 000002
【特許請求の範囲】
【請求項１】
月日と研究集会とを対応付けて記憶する記憶手段と、
端末からのネットワークを介した要求を受け、前記記憶手段に記憶されている月日と研究集会との情報を対応付けて提供する情報提供手段と、
前記端末からの月日と研究集会とを対応付ける情報を受け付け、前記記憶手段に記憶されている情報を更新する更新手段と、
を備えることを特徴とする研究集会情報提供システム。
【請求項２】
前記情報提供手段が提供する情報のうち、特定の研究集会が指定されたときに、指定された研究集会に関する所定の詳細な情報を前記記憶手段から読み出して提供する詳細情報提示手段をさらに備える、
ことを特徴とする請求項１に記載の研究集会情報提供システム。
【請求項３】
前記詳細情報は、指定された研究集会に関する情報を掲載するＷｅｂページへのリンク情報を含む、
ことを特徴とする請求項２に記載の研究集会情報提供システム。
【請求項４】
認証情報を記憶する認証情報記憶手段と、
前記端末からのアクセスに対して前記認証情報を要求し、提供された情報と前記認証情報記憶手段に記憶されている認証情報を用いて、アクセス者を認証する認証手段を備え、
前記更新手段は、前記認証手段が認証成功と判別したときに、前記更新手段による更新を可能とする、
ことを特徴とする請求項１乃至３のいずれか１項に記載の研究集会情報提供システム。
【請求項５】
前記認証情報記憶手段は、前記端末から事前に提供される情報として、メールアドレスの提供を受け、
メールアドレスが予め所定の条件に合致する場合には、前記認証情報記憶手段への記憶を行わない、ことを特徴とする請求項４に記載の研究集会情報提供システム。
【発明の詳細な説明】
【技術分野】
【０００１】
この発明は、インターネット上に展開する学会・研究会・発表会・検討会・講演会などの研究集会を閲覧可能に掲載するカレンダーシステムに関する。
【背景技術】
【０００２】
学会などの開催スケジュールをＷｅｂ上に公開するカレンダーシステムが知られている。従来のカレンダーシステムは、カレンダーの開催日の欄に、研究集会名などを表示するものである。
【発明の開示】
【発明が解決しようとする課題】
【０００３】
従来のカレンダーシステムは、特定の管理者により管理・運営されており、管理者による更新が必要である。このため、全国レベル、地方(関東、北海道など)レベル、都市レベルなどにより規模の異なる多数の研究集会を網羅することは困難で、一般に大きな会しか掲載されない。また更新頻度も比較的長い。同様に、さまざまなジャンルの会を網羅することは事実上不可能である。
【０００４】
また、一般に、企業などの講演会主催者は、自らの販売する装置や薬品などの宣伝をかねて、新しい情報を提供する場として出資し、有料の場所を借り、研究会を主催している。したがってこれらの会に多数の聴講者が来ることを望んでいる。しかし、現実には、十分な広告活動ができておらず、現状では、各企業のサイトに会に関する情報が掲載される程度である。
【０００５】
このため、閲覧者（情報を欲するもの）は、会の情報を得るために、これら多数の企業のサイトをひとつひとつ閲覧することを余儀なくされている。研究会の開催頻度は週末を中心に非常に高く、同一日に同じジャンルの会が催されることも多い。従って、これらに参加する予定を立てる上において、すべての会を閲覧し、これらへの参加・不参加を決めることは困難である。このため、集約型情報取得システムが求められているに対する潜在的な要望がある。
【０００６】
この発明は、上記実状に鑑みてなされたもので、管理が容易な学会等用のカレンダーシステムを提供することを目的とする。
また、この発明は、有効な情報の発信の場として機能しうる学会等用のカレンダーシステムを提供することを目的とする。
【課題を解決するための手段】
【０００７】
上記目的を達成するため、この発明の研究集会情報提供システムは、
月日と研究集会（学会・研究会・発表会・検討会・講演会等）とを対応付けて記憶する記憶手段と、
前記端末からのネットワークを介した要求を受け、前記記憶手段に記憶されている月日と研究集会との情報を対応付けて提供する情報提供手段と、
端末からの月日と研究集会とを対応付ける情報を受け付け、前記記憶手段に記憶されている情報を更新する更新手段と、
を備えることを特徴とする。
【０００８】
例えば、前記情報提供手段が提供する情報のうち、特定の研究集会が指定されたときに、指定された研究集会に関する所定の詳細な情報を前記記憶手段から読み出して提供する詳細情報提示手段をさらに備えてもよい。
【０００９】
前記詳細情報は、例えば、指定された研究集会に関する情報を掲載するＷｅｂページへのリンク情報を含んでもよい。
【００１０】
例えば、認証情報を記憶する認証情報記憶手段と、前記端末からのアクセスに対して前記認証情報を要求し、提供された情報と前記認証情報記憶手段に記憶されている認証情報を用いて、アクセス者を認証する認証手段を配置し、前記更新手段は、前記認証手段が認証成功と判別したときに、前記更新手段による更新を可能とするように構成してもよい。
【００１１】
例えば、前記認証情報記憶手段は、前記端末から事前に提供される情報として、メールアドレスの提供を受け、メールアドレスが予め所定の条件に合致する場合には、前記認証情報記憶手段への記憶を行わないように構成してもよい。
【発明の効果】
【００１２】
この発明によれば、ネットワークを介したアクセスによる登録が可能なので、広く登録を認めることが可能となり、管理者の負担を抑えることが可能となる。また、研究集会のホームページへのリンク情報を配置すれば、該ホームページへのアクセスを増加させることが可能となる。
【発明を実施するための最良の形態】
【００１３】
本発明の実施の形態に係る学術研究集会情報提示用のカレンダーシステムについて、以下図面を参照して説明する。
【００１４】
図１に示すように、このカレンダーシステムは、インターネット１１に接続された複数の利用者端末（パーソナルコンピュータ（ＰＣ）など）１２と、カレンダーサイト１３とより構成される。
【００１５】
複数の利用者端末１２（１２１〜１２ｎ）は、インターネット１１に接続可能なパーソナルコンピュータ、ＰＤＡや携帯電話等の携帯端末、などから構成され、Ｗｅｂページを参照するためのブラウザソフトがインストールされている。
【００１６】
カレンダーサイト１３は、相互に接続されたサーバ装置１４、データベース（ＤＢ）１５を備える。
【００１７】
サーバ装置１４は、このカレンダーサイト１３のホームページ（Ｗｅｂページ）を、アクセスのあった利用者端末１２に提供し、さらに、このホームページ上のボタンなどの操作によるアクセスを受け付ける。なお、サーバ装置１４は、適当なＷｅｂページを適宜生成するためのＣＧＩを備える。また、サーバ装置１４は、メールサーバとしての機能を備える。サーバ装置１４は、一般的には、ＣＰＵとメモリとを備える。ただし、物理的に１台の装置で構成される必要はない。
また、サーバ装置１４は、データベース１５をアクセス及び更新する機能を備える。
【００１８】
データベース（ＤＢ）１５は、学会に関する情報を格納する学会情報ＤＢ１５Ａと、利用者に関する情報を格納するユーザ情報ＤＢ１５Ｂを備える。
【００１９】
学会情報ＤＢ１５Ａは、図２（ａ）に示すカレンダー情報と、図２（ｂ）に示す個別集会情報とを蓄積する。
図２（ａ）に示すカレンダー情報は、年月日と、その日に開催される学会・研究集会・講演会等の情報と、詳細情報な個別情報を格納したエリアのアドレスとを対応付けて記憶する。
このカレンダーサイト１３が提供するカレンダーの、カレンダー情報に登録されている年月日の欄には、表示項目に登録されている学会・研究集会・講演会等の情報が掲載される。
【００２０】
図２（ｂ）に示す個別情報は、図２（ａ）に示す各学会情報の詳細を規定するものであり、対応するアドレス位置にレコードが形成される。その内容は、図示するように、例えば、１）開催が１日か複数かの区別情報、２）学会・研究会・講演会の開催日、３）最終日、４）会の名称、４）会の略称、５）会場、６）会場の略称、７）会場住所、８）団体名（企業名）、８）ＵＲＬ、９）問い合わせ先ｅ−ｍａｉｌアドレス、１０）問い合わせ先電話番号、などが含まれる他、例えば、１１）学会などが全国組織か地方組織か都道府県組織かの別や、１２）分野、主催・後援者等の情報などが含まれる。
【００２１】
ユーザ情報ＤＢ１５Ｂは、このカレンダーに学会などの情報を登録することが認めれた者の情報を格納する登録ユーザ情報と、閲覧することのみが認められた閲覧ユーザ情報とを記憶する。
図３（ａ）に示すように、登録ユーザ情報は、ユーザ登録の年月日、ログインＩＤ、パスワード、連絡先のｅ−ｍａｉｌアドレスなどである。
図３（ｂ）に示すように、閲覧ユーザ情報は、ユーザ登録の年月日、ログインＩＤ、パスワード、連絡先のｅ−ｍａｉｌアドレスなどである。
【００２２】
次に、このカレンダーシステムの動作を説明する。
このカレンダーサイト１３の使用を希望する者は、端末装置１２より、カレンダーサイト１３のＵＲＬにアクセスする。すると、図４に例示するようなトップ画面が提供される。このトップ画面はカレンダー上に学会などの簡単な情報が掲載されたものであり、図２（ｂ）のカレンダー情報に基づいて形成されている。
【００２３】
この段階までは、だれでも閲覧できる。
【００２４】
この内容以上の閲覧又は情報の登録を希望するものは、事前に登録を受ける必要がある。
ユーザ登録のためには、図４に示すトップ画面上の、「利用者情報」をクリックする。
このクリックに応答して、サーバ装置１４は、図５に示すユーザ登録ページを提供する。
このカレンダーサイト１３に学会情報の登録を希望する者は、この画面上で、「登録ユーザ（カレンダーに情報を登録する目的でのご利用）」に付されたラジオボタンをクリックし、適当なログインＩＤとパスワードとを入力し、さらに、ｅ−ｍａｉｌアドレスを入力して、内容が正しければ、「この内容で登録」ボタンをクリックする。サーバ装置１４は、この情報をユーザ情報ＤＢ１５Ｂに登録ユーザ情報として登録する。
【００２５】
このカレンダーサイトに掲載された学会情報の詳細情報の閲覧のみを希望する者は、図５の登録画面上で、「閲覧ユーザ（カレンダーを閲覧する目的でのご利用）」に付されたラジオボタンをクリックし、適当なログインＩＤとパスワードとを入力し、さらに、ｅ−ｍａｉｌアドレスを入力して、内容が正しければ、「この内容で登録」ボタンをクリックする。サーバ装置１４は、この情報をユーザ情報ＤＢ１５Ｂに閲覧ユーザ情報として登録する。
【００２６】
次に、登録ユーザとして登録した利用者が、任意の情報をカレンダーに登録する手順を説明する。
【００２７】
登録希望者が、このカレンダーサイト１３にアクセスすると、サーバ装置１４は、図４に示すトップ画面（カレンダーページ）提供する。
【００２８】
ここで、自己が担当する学会の研究集会などを登録したい者は、「学会登録」をクリックする。
サーバ装置１４は、ＩＤとパスワードとを入力する認証画面を生成し、端末装置１２に送信する。ユーザは、ＩＤとパスワードとを入力して、これを送信する。
サーバ装置１４は、送信されたＩＤとパスワードとの対が、ユーザ情報ＤＢ１５Ｂに登録ユーザ情報として登録されているか否かを判別し、登録されていれば、認証ＯＫとして、図６に示す登録情報入力用のＷｅｂページを提供する。
【００２９】
一方、サーバ装置１４は、送信されたＩＤとパスワードとの対が、ユーザ情報ＤＢ１５Ｂに登録ユーザ情報として登録されていないと判別すると、認証ＮＧとして、再認証を要求する画面を送信する等の適当なエラー処理を行う。
【００３０】
認証ＯＫとなった登録希望者は、図６の入力フォームに、該当する情報を登録する。即ち、その学会の開催日数、開始日、開始時間、最終日、会の名称、会場、会場住所、団体名（企業名）、ＵＲＬ、問い合わせｅ−ｍａｉｌ、問い合わせ電話、等の情報である。また、その学会が全国組織か、地方組織か、都道府県組織かを、また、学術分野（例では、医療分野のうちの何れか）、等の情報を登録する。
【００３１】
登録内容の入力が完了すると、登録希望者は、ブラウザに表示されている「この内容で登録」ボタンをクリックする。このクリックに応答して、端末装置１２は、入力内容をサーバ装置１４に送信する。
【００３２】
サーバ装置１４は、学会情報ＤＢ１５Ａ上の詳細情報の新たなレコードを生成して、入力内容登録する。「開催日」、「開始日」、「最終日」の情報から、学会などの開催される全日付を判別し、カレンダー情報の該当するに日にちの、表示項目の欄に「会の略称」の情報を登録する。サーバ装置１４は、図４に示すカレンダーを、更新された内容に基づいて更新する。
【００３３】
例えば、開催日を「複数日」、開始日を「１２月５日１０時３０分〜１５時２０分」、最終日を「１２年１２月６日」、会の名称を「ABC学会関東支部・・・研究会」、略称を「ABＣ関東研究会」、会場「ＸＹＺホテル・・・の間」、会場略称「ＸＹＺ」、会場住所「東京都港区．．．．」、団体名（企業名）「ＡＢＣ学会」、ＵＲＬ「http: //www.abc.ac.jp」、問い合わせ先ｅ−ｍａｉｌ「koko＠abc.ac.jp」、問い合わせ先電話「０３−１２３４−１２３４」として登録したとする。
【００３４】
すると、サーバ装置１４は、図２（ｂ）に示す詳細情報のレコードを形成する。このレコードの先頭アドレスを５８６４８とする。
【００３５】
サーバ装置１４は、カレンダー情報の０５年１２月５日と１２月６日の欄に、会の略称である「ＡＢＣ関東研究会」を登録し、さらに、詳細情報アドレスの欄に、「５８６４８」を登録する。
【００３６】
さらに、カレンダーページの５日と６日の欄に図４に示すように情報を追加して更新し、Ｗｅｂページ学会情報ＤＢに登録する。
このようにして、任意の学術集会情報をカレンダーに登録することが可能となる。
【００３７】
例えば、閲覧者が図４に示すカレンダー上で、５日のＡＢＣ関東研究集会に興味をもってこれをクリックすると、正規ユーザであれば、図２（ｂ）に登録されている情報を閲覧し、会の正式名称が「ＡＢＣ学会関東支部・・・研究集会」であり、会場が「ＸＹＺホテルの・・・の間」であることなどを知ることができる。
【００３８】
情報の閲覧を希望する者は、カレンダー上で、任意の情報をクリックする。
このクリックに応答して、サーバ装置１４は、このユーザが認証済みのユーザか否かをクッキーなどをから判別する。
未認証であれば、ＩＤとパスワードとを入力するためのＷｅｂページを端末装置１２に送信する。ユーザは、ブラウザ上に表示されたＷｅｂページに、ＩＤとパスワードとを入力する。
【００３９】
サーバ装置１４は、送信されたＩＤとパスワードとの対が、ユーザ情報ＤＢ１５Ｂに登録されていれば（閲覧ユーザと登録ユーザのいずれでもかまわない）、
認証ＯＫとして、クリックされた情報の詳細情報でＷｅｂページを形成して端末装置１２に送信する。
【００４０】
端末装置１２は、提供されたＷｅｂページを表示して詳細情報を閲覧可能とする。ユーザは、さらに興味があれば、リンクを辿って、学会のホームページを開き、参加手続き名を行う。
【００４１】
上述の例で言えば、図４のカレンダー上で、例えば、上述の１２月５日の「ＡＢＣ関東研究会」の情報をクリックすると、認証がＯＫであれば、開催日が「複数日」、開始日が「１２月５日１０時３０分〜１５時２０分」、最終日が「１２年１２月６日」、会の名称が「ABC学会関東支部・・・研究会」、略称が「ABＣ関東研究会」、会場が「ＸＹＺホテル・・・の間」、会場略称が「ＸＹＺ」、会場住所が「東京都港区．．．．」、団体名（企業名）が「ＡＢＣ学会」、ＵＲＬが「http: //www.abc.ac.jp」、問い合わせ先ｅ−ｍａｉｌが「koko＠abc.ac.jp」、問い合わせ先電話番号が「０３−１２３４−１２３４」という詳細情報が提供される。
【００４２】
さらに、ここで、ＵＲＬをクリックすると、ＡＢＣ学会のホームページに飛び、参加登録等も可能となる。
【００４３】
なお、以上説明では、カレンダー上に掲載する情報を「会の名称の略称」としたが、掲載する情報の量と範囲（種類）は任意である。例えば、会の名称、会場、団体名（企業名）、ＵＲＬ、問い合わせ先のｅ−ｍａｉｌと電話番号、分野、等としてもよい。
【００４４】
また、カレンダー上の情報をクリックすると、詳細情報を一旦表示することとしたが、カレンダー上の情報と学会などのホームページを直接リンクし、カレンダー上の情報をクリックすると、学会などのホームページが開くようにしてもよい。
【００４５】
なお、この種のサイトを運営する場合には、所謂「荒らし」に配慮する必要があり、掲載された情報を正しい内容に維持するためには、登録ユーザを信頼できる人に限定する必要がある。この場合、登録ユーザの登録に関しては、より詳細な情報を要求し、より厳しい審査を行うようにしてもよい。
【００４６】
また、審査を自動化することも可能である。この点を説明する。
まず、サーバ装置１４は、オフ時間等に、様々な学会のホームページをアクセスし、予め、学会のドメインを収集しておく（既存のものを使用してもよい）。
一方、ユーザ登録の際に入力される電子メールアドレスからドメインを切り出し、ドメインが予め収集しておいてドメインの一覧に含まれているか否かを判別する。含まれていれば、仮にＯＫとし、含まれていなければ、ユーザとしての登録を拒否する。このような構成とすれば、利用者を学術関係者に限定することが可能となる。
【００４７】
なお、判別の結果をメールなどで管理者に通知し、管理者が登録を認めるか否かを最終判断を行ってもよい。
同様に、研究集会情報が登録されるたびに同様の動作を行うようにしてもよい。
【００４８】
なお、この発明のシステムは、専用のシステムによらず、通常のコンピュータシステムを用いて実現可能である。例えば、上述の動作を実行するためのプログラムをコンピュータ読み取り可能な記録媒体（ＦＤ、ＣＤ−ＲＯＭ、ＤＶＤ等）に格納して配布し、該プログラムをコンピュータにインストールすることにより、上述の処理を実行する利用者端末、ＷＷＷサーバ、メールサーバ等を構成してもよい。また、インターネット等のネットワーク上のサーバ装置が有するディスク装置に格納しておき、例えば搬送波に重畳してコンピュータにダウンロード等するようにしてもよい。また、上述の機能を、ＯＳが分担又はＯＳとアプリケーションの共同により実現する場合等には、ＯＳ以外の部分のみを媒体に格納して配布してもよく、また、搬送波に重畳してコンピュータにダウンロード等してもよい。
【図面の簡単な説明】
【００４９】
【図１】本発明の第１の実施の形態に係る学術研究集会用カレンダーシステムのブロック図である。
【図２】図１に示す学会情報データベースの構成例を示す図である。
【図３】図１に示すユーザ情報データベースの構成例を示す図である。
【図４】研究集会情報を掲載したカレンダー（Ｗｅｂページ）の一例を示す図である。
【図５】ユーザ登録用のＷｅｂページの一例を示す図である。
【図６】研究集会情報登録用のＷｅｂページの一例を示す図である。
【符号の説明】
【００５０】
１２  端末装置
１４  サーバ装置
１５  データベース
【図１】
2007156654.tif 000003
【図２】
2007156654.tif 000004
【図３】
2007156654.tif 000005
【図４】
2007156654.tif 000006
【図５】
2007156654.tif 000007
【図６】
2007156654.tif 000008